Podtech/llm-jp-corpus-v4-ja_patent huggingface dataset:
(57)【要約】【課題】コンクリート擁壁や岩盤等植物が育たない緑化不適壁表面に植物が育つ層が固着され崩壊せずに維持されることにより、該壁を植物の緑で包もうとするものである。【解決手段】緑化不適当な壁面に、山砂と保水剤と腐葉土をセメント系接着剤でまとめた下層基盤をセメント系接着剤で固着し、同下層基盤表面に、保水剤と腐葉土をセメント系接着剤でまとめた上層基盤をセメント系接着剤で固着し、上層基盤に植えた植物の根の伸長により上下基盤が補強されるとともに、緑化不適当な壁が緑化されるようにしたものである。【選択図】　図１
2004036095.tif 000002
【特許請求の範囲】
【請求項１】
コンクリート等の擁壁表面に、山砂と保水剤と腐葉土とセメント系接着剤とから成る下層基盤を重ね、同下層基盤表面に、保水剤と腐葉土とセメント系接着剤とから成る上層基盤を重ね、上層基盤に植物を植えまたは播種することを特徴とする擁壁緑化法。
【発明の詳細な説明】
【０００１】
【発明の属する技術分野】
この発明は、ダム建設や道路建設などで構築されるコンクリート擁壁、或いは鉱山地帯等の緑化不適応地（以下、緑化不適壁という。）の緑化に関するものである。
【０００２】
【従来の技術】
ダム建設や道路建設にあたって削除した傾斜地面にコンクリート打ちで構築される擁壁は、コンクリート面により景観が損われ植物が繁茂していない殺風景なものである。そこで従来、コンクリート面に網を張って緑化する工法や、コンクリート面に植物を植える孔を設けて育てようとする等が試みられているが、網の腐蝕や基盤の剥離等の問題があった。また、鉱山地帯では公害に強い樹木を育てているが、樹木の生長に年数を要する問題がある。
【０００３】
【発明が解決しようとする課題】
この発明は緑化不適壁の表面に植物が育つ層が固着されその層が崩壊せずに維持されるようにすることにより、該壁を植物の緑で包もうとするものである。
【０００４】
【課題を解決するための手段】
この発明は、緑化不適壁の表面に、山砂と保水剤と腐葉土をセメント系接着剤でまとめた下層基盤をセメント系接着剤で固着し、同下層基盤表面に、保水剤と腐葉土をセメント系接着剤でまとめた上層基盤をセメント系接着剤で固着し、上層基盤に植えた植物の根の伸長により上下基盤が補強されるとともに、緑化不適壁が緑化されることによりその目的を達成しようとするものである。
【０００５】
【実施例】
この発明の実施例を説明すると、所要の勾配に削られた土基盤１には通常工法でコンクリートが打設されコンクリート壁２が構築される。コンクリート壁２の表面に重ねて固着される下層基盤３は、セメント系接着剤（後記）６％、山砂３０％、保水剤（後記）３０％、腐葉土（後記）３４％の混合物をとりまとめ厚さ１０ｃｍの層となっている。この下層基盤３はコンクリート壁２に現場にてセメント系接着剤により接着固着される。上記中の保水剤は施工個所の状況により高分子ポリマー、セラミック系保水剤、木炭、吸着剤系を選択して使用される。腐葉土は木の皮や木屑等植物の生育に適した培養土壌が選択使用される。セメント系接着剤はフライアッシュ６０％、セメント４０％の水加混合剤が使用される。
【０００６】
下層基盤３の表面に重ねられる上層基盤４は、前記保水剤２０％、前記腐葉土７８％、前記セメント系接着剤２％の混合から成り厚さ３〜５ｃｍとしている。この上層基盤４は下層基盤３の表面にセメント系接着剤により接着固着される。
この発明の植生擁壁は上記の構成より成っている。
【０００７】
上記構成であると、
（１）上層基盤４は保水剤と腐葉土がセメント系接着剤により固められているため降水や凍結の影響を受けるも崩壊することがない。同基盤４を掘って植えた苗木は保水と腐葉土によって根付きがよく、根が下層基盤３へ伸び易い。その際、セメント系接着剤は灰分を含むので生育伸長の妨げとならない。
（２）下層基盤３は山砂と保水剤と腐葉土がセメント系接着剤により固められているが、山砂によって透水性があるので上層基盤４よりの過剰の水は同基盤４内を流下して保有しなくなり、下層基盤３の自己崩壊や地滑りを起すことがない。そして上層基盤４より伸びてきた苗木の根を下層基盤３に根付かせて同基盤３を強固にする。
（３）したがって、上下基盤３、４により苗木が根付き生長し繁茂する。
（４）護岸コンクリート擁壁のように水位が上下するコンクリート壁にこの発明を施した実験によれば、冬期間水没させた後、水位を下げると植物が再生し繁茂し始め、上下層基盤に剥離脱落がなかった。セメント系接着剤によるコンクリート壁面へのなじんだ接着性も証明された。
【０００８】
【発明の効果】
この発明は、コンクリートや岩盤による擁壁に植物の根付き易い上層基盤４と根が伸長し易い下層基盤３とを重ね一体としたものであるから、緑化不適壁の緑化に適切な効果がある。
【図面の簡単な説明】
【図１】この発明を実施した擁壁の縦断面図。
【符号の説明】
１　土基盤
２　コンクリート壁
３　下層基盤
４　上層基盤
【図１】
2004036095.tif 000003
(57)【要約】【課題】室内側にもシリンダーを設け、室内側シリンダーに符合しない鍵を差し込むことにより、室外側から解錠できないようにする。【解決手段】ケース３８に設けられたカンヌキ１６が室外側シリンダー２８を回転しても動作しないように、カンヌキ１６を駆動するプレート１８をロックするため、室内側シリンダー１０と符合しない鍵３２を室内側シリンダー１０に挿入し、それによってプレート回転軸２２の穴に室内側シリンダー用軸１２を嵌合させる。これにより、室外側シリンダー２８からは合い鍵を使ってもピッキングによっても解錠することができない。【選択図】図１
2004036214.tif 000002
【特許請求の範囲】
【請求項１】
室内側および室外側にシリンダーを設け、室内側のシリンダーに符合しない鍵を差し込むことにより、室外側から錠が開けられないようにしたことを特徴とするロックアウト錠。
【請求項２】
請求項１記載のロックアウト錠において、室内側シリンダー用軸が室内側の鍵によってカンヌキを駆動するためのプレート回転軸と嵌合するようにしたことを特徴とするロックアウト錠。
【請求項３】
請求項１記載のロックアウト錠において、室内側の鍵は、符合する鍵と符合しない鍵とを色を変えて見分けられるようにしたことを特徴とするロックアウト錠。
【発明の詳細な説明】
【０００１】
【発明の属する技術分野】
本発明は、室内側と室外側にシリンダー機能を有するロックアウト錠に関する。
【０００２】
【従来の技術】
従来、玄関扉や勝手口の扉のシリンダー錠において、在宅中に施錠をしていても合い鍵により解錠されたり、ピッキングにより解錠されたり鍵を壊すことにより、扉を開けられてしまい室内に侵入される場合があった。また、ガラス扉の場合、錠の取り付け位置付近のガラスに穴を開け、穴から手を挿入して内部から解錠され侵入される場合があった。
【０００３】
【発明が解決しようとする課題】
上記のように、従来のシリンダー錠では、合い鍵により、また、ピッキングや錠を壊すことにより、さらに、外部から戸のロック部分付近のガラスを割ってガラスに穴を開け、その穴から手を入れて極めて容易に解錠されるため、室内への侵入を防ぐことができなかった。このように従来の技術では、たとえ在宅中であっても外部からの侵入者を防止できないという問題があった。
【０００４】
本発明はこのような従来技術の問題点を解消するためになされたものであり、合い鍵による解錠、ピッキングや鍵の破壊による解錠ができないようにすることを目的とする。
【０００５】
【課題を解決するための手段】
上記目的を達成するために、本発明は、室内側および室外側にシリンダーを設け、室内側のシリンダーに符合しない鍵を差し込むことにより、室外側から錠が開けられないようにしたことを特徴とする。
【０００６】
また、本発明は、室内側シリンダー用軸が室内側の鍵によってカンヌキを駆動するためのプレート回転軸と嵌合するようにしたことを特徴とする。この場合、室内側の鍵は、符合する鍵と符合しない鍵とを色を変えて見分けられるようにしてもよい。
【０００７】
【発明の実施の形態】
以下、本発明の実施形態を図面とともに説明する。
【０００８】
図１は本発明の実施形態に係るロックアウト錠の垂直断面図を示す。また、図２は本発明に係るロックアウト錠の水平断面図を示す。
【０００９】
ロックアウト錠は、室内側シリンダー１０、室内側シリンダー用軸１２、ばね１４、カンヌキ１６、プレート１８、カンヌキ動作用柱２０、プレート回転軸２２、トグル２４、室外側シリンダー用軸２６、室外側シリンダー２８、基盤３０、室内側鍵３２、シリンダー用軸受け穴３４、カンヌキ１６の穴３６、ケース３８を有する。
【００１０】
このロックアウト錠は、室外側のシリンダー２８に鍵を差し込み、回転させることにより、シリンダー２８に取り付けられた室外側シリンダー用軸２６が回転し、その軸２６とシリンダー用軸受け穴３４で嵌合しているプレート回転軸２２が回転することによりプレート１８が回転し、プレート１８に取り付けられたカンヌキ動作用柱２０によりカンヌキ１６がスライドする。この結果、錠の開閉が行われる。
【００１１】
また、室内側からは、室内側シリンダー１０に鍵３２を差し込むことにより、ばね１４により付勢されている室内側シリンダー用軸１２が押され、基盤３０に取り付けられたプレート回転軸２２に刻まれた穴とその軸１２が嵌合し、鍵３２により軸１２でプレート１８を回転させることで、カンヌキ動作用柱２０によりカンヌキ１６がスライドし錠の開閉ができる。なお、シリンダー用軸受け穴３４は、室外側と室内側の間では貫通していない。
【００１２】
通常、鍵を用いるときは、外出するときであり、室外側から鍵を掛ける場合は、室内側シリンダー１０はカンヌキ１６の駆動部分とは結合していないので、室内側シリンダー１０が室外側シリンダー２８の作動に支障を来すことはない。
【００１３】
なお、室外側シリンダー２８に取り付けられた室外側シリンダー用軸２６は、室外側シリンダー２８もしくはシリンダー用軸受け穴３４において９０°の遊びを持たせてあり、室外側シリンダー２８の状態にかかわらず、室内側からは錠の開閉ができる。
【００１４】
本実施形態に係るロックアウト錠においては、在宅中に、特に就寝中に外部からピッキングされたり、合い鍵を所持したものが外部から錠を開けようとしても、開かないように室内側のシリンダー１０に符合しない鍵を差し込むことにより、シリンダー１０に付随した軸１２を、プレート回転軸２２に刻まれた穴に嵌合させ、カンヌキ１６が作動できないようにしたものである。なお、室内側シリンダー１０に取り付けられた軸１２は、室外側シリンダー用軸２６のように遊びを持たせていないので室外側から錠を回すことができない。従って、錠の開閉を阻止できる。
【００１５】
【発明の効果】
本発明に係るロックアウト錠においては、室内側シリンダーに符合しない鍵を差し込むことにより、カンヌキが固定され、室外側からいかなる方法によっても錠を開閉することができないので、防犯対策上非常に安全である。
【図面の簡単な説明】
【図１】本発明の実施形態に係るロックアウト錠の垂直断面図である。
【図２】本発明の実施形態に係るロックアウト錠の水平断面図である。
【符号の説明】
１０…室内側シリンダー　　　　　　１２…室内側シリンダー用軸
１４…ばね　　　　　　　　　　　　１６…カンヌキ
１８…プレート　　　　　　　　　　２０…カンヌキ動作用柱
２２…プレート回転軸　　　　　　　２４…トグル
２６…室外側シリンダー用軸　　　　２８…室外側シリンダー
３０…基盤　　　　　　　　　　　　３２…鍵
３４…シリンダー用軸受け穴　　　　３６…カンヌキの穴
３８…ケース
【図１】
2004036214.tif 000003
【図２】
2004036214.tif 000004
(57)【要約】【課題】外輪のクリープを良好に防止することができるのは勿論のこと、低コストで簡単に取り付けることができるフランジ付転がり軸受を提供する。【解決手段】外輪１１と内輪１２との間に複数の転動体１３が周方向に転動可能に配設され、且つ前記外輪１１の外周部に固定用のフランジ１４が設けられたフランジ付転がり軸受１０において、前記フランジ１４の外周部の少なくとも一カ所に切欠き部２０を設ける。【選択図】　　　図１
2004036642.tif 000002
【特許請求の範囲】
【請求項１】
外輪と内輪との間に複数の転動体が周方向に転動可能に配設され、且つ前記外輪の外周部に固定用のフランジが設けられたフランジ付転がり軸受において、
前記フランジの外周部の少なくとも一カ所に切欠き部を設けたことを特徴とするフランジ付転がり軸受。
【発明の詳細な説明】
【０００１】
【発明の属する技術分野】
本発明は、フランジ付転がり軸受に関し、特に自動車のトランスミッションに組み込まれる転がり軸受として好適なフランジ付転がり軸受に関する。
【０００２】
【従来の技術】
従来のこの種のフランジ付転がり軸受としては、例えば図５および図６に示すものが知られている。
このフランジ付転がり軸受は、外輪１と内輪２との間に複数の転動体（ころ）３が周方向に転動可能に配設されており、また、外輪１の外周部には該外輪１のクリープ（回転方向の相対滑り）を防止するための固定用フランジ４が設けられている。
【０００３】
固定用フランジ４は例えば図のようにフランジ４に複数のボルト挿通穴５を設けてハウジング等にボルトを介して固定するか、或いは固定用のプレートでフランジ４をハウジングとの間に挟んだ状態で該プレートをハウジングにボルトで締結して固定する方法等が採られている。
【０００４】
【発明が解決しようとする課題】
しかしながら、上記従来のフランジ付転がり軸受においては、フランジ４をハウジング等にボルトを介して固定しており、しかも、フランジ４にボルト挿通穴５を加工したりフランジ４を挟み込むプレートが必要になるため、コストが高くつくと共に取り付け作業に手間がかかるという不都合がある。
【０００５】
本発明はこのような不都合を解消するためになされたものであり、外輪のクリープを良好に防止することができるのは勿論のこと、低コストで簡単に取り付けることができるフランジ付転がり軸受を提供することを目的とする。
【０００６】
【課題を解決するための手段】
上記目的を達成するために、請求項１に係る発明は、外輪と内輪との間に複数の転動体が周方向に転動可能に配設され、且つ前記外輪の外周部に固定用のフランジが設けられたフランジ付転がり軸受において、
前記フランジの外周部の少なくとも一カ所に切欠き部を設けたことを特徴とする。
【０００７】
【発明の実施の形態】
以下、本発明の実施の形態の一例を図を参照して説明する。
図１は本発明の実施の形態の一例であるフランジ付転がり軸受を軸方向の一端側から見た図、図２は図１のＡ−Ａ線断面図、図３はハウジングに設けた突起を説明するための説明図、図４はハウジングに設けた窪みを説明するための説明図である。
【０００８】
図１および図２を参照して、このフランジ付転がり軸受１０は、外輪１１と内輪１２との間に複数の転動体（ころ）１３が周方向に転動可能に配設されており、また、外輪１１の外周部には該外輪１１のクリープ（回転方向の相対滑り）を防止するための固定用フランジ１４が設けられている。
ここで、この実施の形態では、固定用フランジ１４の外周部に直線状の切欠き部２０を設けている。そして、例えば図３に示すように、被取付部材としてのハウジングＨに切欠き部２０に対応する突起３０を設け、外輪１１をハウジングＨの穴３１に嵌め込んだ状態で切欠き部２０が突起３０に沿って当たるように配置することにより、従来と同等以上の外輪１１の耐クリープ特性を得ることができる。
【０００９】
また、フランジ１４をハウジングＨに固定する際には、従来必要であったボルトやプレートが不要になる他、ボルト挿通穴の加工も不要になるため、低コストで簡単に取り付けることができる。
なお、本発明のフランジ付転がり軸受の各構成や被取付部材の構成は上記実施の形態に限定されるものではなく、本発明の要旨を逸脱しない範囲において適宜変更可能である。
【００１０】
例えば、上記実施の形態では、ハウジングＨに切欠き部２０に対応する突起３０を設け、外輪１１をハウジングＨの穴３１に嵌め込んだ状態で切欠き部２０が突起３０に沿って当たるように配置することにより、従来と同等以上の外輪１１の耐クリープ特性を得るようにしているが、これに代えて、例えば図４に示すように、ハウジングＨにフランジ１４の形状に対応する窪み４０を設けて、切欠き部２０が窪み４０の直線部に沿って当たるように配置することにより、従来と同等以上の外輪１１の耐クリープ特性を得るようにしてもよい。
【００１１】
また、上記実施の形態では、切欠き部２０をフランジ１４の外周部に一カ所設けた場合を例に採ったが、これに限定されず、切欠き部２０をフランジ１４の外周部に二カ所以上設けるようにしてもよく、また、直線状の切欠き部２０に限らず、曲線状や凹凸状の切欠き部をフランジ１４の外周部に設けるようにしてもよい。この場合、上述したハウジングＨの突起３０や窪み４０は切欠き部の形状に応じて形成される。
【００１２】
更に、従来と同様にボルトやプレートを併用してフランジ１４をハウジングＨに固定することで、外輪１１の耐クリープ特性の更なる向上を図るようにしてもよい。
更に、上記実施の形態では、転がり軸受として円筒ころ軸受を例に採ったが、これに限定されず、円筒ころ軸受以外のラジアル転がり軸受や、スラスト転がり軸受に本発明を適用してもよい。
【００１３】
【発明の効果】
上記の説明から明らかなように、本発明のフランジ付転がり軸受によれば、外輪のクリープを良好に防止することができるのは勿論のこと、低コストで簡単に取り付けることができるという効果が得られる。
【図面の簡単な説明】
【図１】本発明の実施の形態の一例であるフランジ付転がり軸受を軸方向の一端側から見た図である。
【図２】図１のＡ−Ａ線断面図である。
【図３】ハウジングに設けた突起を説明するための説明図である。
【図４】ハウジングに設けた窪みを説明するための説明図である。
【図５】従来のフランジ付転がり軸受を軸方向の一端側から見た図である。
【図６】図５のＡ−Ａ線断面図である。
【符号の説明】
１０…フランジ付転がり軸受
１１…外輪
１２…内輪
１３…転動体
１４…固定用フランジ
２０…切欠き部
【図１】
2004036642.tif 000003
【図２】
2004036642.tif 000004
【図３】
2004036642.tif 000005
【図４】
2004036642.tif 000006
【図５】
2004036642.tif 000007
【図６】
2004036642.tif 000008
(57)【要約】　　　（修正有）【課題】停止加力のままで無限回転エネルギーを得ること。【解決手段】主柄（枝付）最下部の加力テコ先３で加力フリー１５を反転向きに加力し、チェーン等で１次調転２２のフリー底を引いて倍の正転力を与えながら内側２１でフリーの外側に加力すると内側に４倍のモーメントを与える。加力フリーの径を３とし、その力を１とすれば１次調転（２連）のモーメントは４（４−１＝３）＝１２＋１．５＊２＝３で計１５となり、−４の力でチェーン等で２次調転３３の底を反転向きに引く。【効果】無資源無公害で、静加力のまま無限回転エネルギーを獲得する。【選択図】図１
2004036601.tif 000002
【特許請求の範囲】
【請求項１】
本明細書と図面の説明する調転久車の諸作用装置。
【請求項２】
同一車軸の加力フリー径と停止するサンフリー径を同一にするため、セットを自公転させながら加力フリーは停止したまま、永久回転動力を得ること。
【請求項３】
１〜３次調転で大きな正転力を現出させること。
【請求項４】
車軸の小フリーを別大サンフリーで巻制して更に大きな正転力を得ること。
【発明の詳細な説明】
〔発明の属する技術分野〕　機械技術により無限回転エネルギーを生み、クリーンな発電力等を提供する。
〔従来の技術〕　諸資源並空間の減少と莫大な公害を与えた。
〔発明が解決しようとする課題と手段〕
図１を参考にしながら説明する。主柄（枝付）最下部の加力テコ先▲３▼で加力フリー▲１５▼を反転向きに加力する。チェーン等で１次調転の▲２２▼フリー底を引いて▲２２▼に倍の正転力を与えながら内側で▲２１▼フリーの外側に加力すると内側には４倍のｍを与える。加力フリーの径を３としてその力を１とすれば１次調転（２連）のｍは　４（４−１＝３）＝１２＋１．５×２＝３で計１５　となり、−４の力でチェーン等で２次調転の▲３３▼底を反転向きに引く。
２次調転は３連で、上記の−４の力を３倍にして▲３３▼軸に正転ｍ＝４．２５×１２＝５１の＋ｍを与えながら、−１２で▲３２▼の外側に加力して▲３２▼には　−１２×　３×（１．５＋０．７５＝２．２５）＝−８１　の−ｍを与え、その計は５１−８１＝−３０　の−ｍとなる。しかし、▲３１▼▲３２▼▲３３▼の合計ｍは　（４．５＋１．５＝６）×（２４−４＝２０）＝１２０−３０＝９０　となり、▲３１▼底は−２４の力で３次調転（▲４０▼軸に自転する径比１．５単軸調転）の外側フリーを引く。
2004036601.tif 000003
の内側小フリーと巻制すると、前記の加力フリーは　−３引戻されて停止したまま各調転フリー等を自転させながら主柄を公転させられる。３次調転のｍは、−２４×３．７５＋３６×２．５＝０である。
念のためその計算公転力を示すと、１５＋９０＋０＝１０５　となり後記の損失力を最小にする必要がある。
さて正転力を大きくするには、加力と各調転比等を大きくしながらマサツ等の損失力を最小にすることは当然である。ところで、主柄の車軸▲１０▼にまわる小フリーと▲６０▼の小フリーを中継して別大サンフリーに巻制して数倍以上の増転力を得る方法もある。しかし原セットの自公転回数をふやすが、原セットの組合せによる部品等の節約はできる。
そして、製作時部品の水平垂直とりつけや主柄の高さ等で斜ｍ発生を小さくする必要がある。しかし、さけられない損失力を小さくするために各軸に平行・直角の不可熱ベアリングを複数とりつけられるとよい。
なお、チェーン等の張り等調整のためターンバックル等をとりつけたり、加力テコ等にバネやフリーギャ等をとりつけ回転力を調節してもよい。
〔発明実施の形態〕
動力をとりだすには、車軸につけたギャやフリーから伝達することはもちろん。もし、必要なとき本セットを複数に組合せ（共通加力にもできる）たり、リモコン可能でももちろん。
〔実施例〕
発電機のモーターをはじめ、地と海・空中の回転動力等。
〔発明の効果〕
本装置は古典エネルギー論の次元を超え、停止静加力のまま永久回転力を得るという、実に無から有の回転エネルギーを顕在化させ、燃料資源空間を節約させ、排気や放射能等の諸公害を無用にして、特に発電への利用が貴重となる。
【図面の簡単な説明】
【図１】調転久車の透視平面図。
図面の線と略語等の説明
１　実線は主柄と各軸心や加力フリーの突起心（ベアリング心を含む）と加力テコを示す。
２　一点鎖線はピッチ円線で、ギャは平歯車、フリーはスプロケット等を示す。
３　破線はチェーン等を示す。
４　セットは装置全体と諸部分を示す。
５　ｍはモーメント（力）を示す。
【符号の説明】
▲３▼　加力テコ先（加力フリー縁の突起を含む）
▲７▼　車軸を公転する主柄（枝つき）
▲１０▼　車軸
▲１５▼　加力フリー
▲２１▼　１次調転の主柄中間軸
▲２２▼　▲２１▼のとなりの軸
▲３１▼　２次調転の主柄長枝角の軸
▲３２▼　▲３１▼のとなりの軸
▲３３▼　▲３２▼のとなりの軸（３番目）
▲４０▼　３次調転の主柄中枝先の軸
▲５５▼　車軸最上の巻制サンフリー
▲６０▼　別巻制の中継軸
【図１】
2004036601.tif 000004
(57)【要約】　　　（修正有）【課題】イ）　壁面の装飾を壁面保護用緩衝板により行うことにより、壁面に釘などを使って絵画やポスターを飾ったり、棚や壁掛けテレビなどの設置したりすることを可能とする。ロ）壁面装飾の施工の簡便化を図り、品質の安定化、施工工事の効率化を可能とする。【解決手段】壁内に固定用金具を埋め込み、この固定金具にネジを用いて、壁面に壁面保護用緩衝板１を固定することで、壁面の装飾、保護、及び　壁面への設備、機器等の設置を可能とする。従来、壁紙を用いて行っていた室内装飾に代えて、木材チップを樹脂で固めた壁面保護用緩衝板を用いることが特徴である。【選択図】　図２
2004036377.tif 000002
【特許請求の範囲】
【請求項１】
壁内に固定用金具を埋め込み、この固定金具を用いて、壁面に壁面保護用緩衝板を固定することで、壁面の装飾、保護、及び　壁面への設備、機器等の設置を可能とするための施工法、及び部材の利用法
【発明の詳細な説明】
【００１】
【発明の属する技術分野】
壁面に壁面保護用緩衝板を固定することで、壁面の装飾、保護、及び　壁面への設備、機器等の設置を可能とするための施工法、及び部材の利用法に関するものである。
【００２】
【従来の技術】
従来は、住宅壁面の装飾、および保護は壁紙と呼ばれる紙状の保護幕を接着することで、行われていたので、壁に釘を打ったり、ピン類でポスターを貼ったりすることが、構造体である壁本体を傷つけることになった。
【００３】
【発明が解決しようとしている課題】
イ）壁面にビス状の金具や釘を使って、絵画などを壁に掛けたり、ポスターをピン類で貼り付けたりすると、構造体である壁本体に傷をつけてしまう点。
ロ）同様の理由から、壁面に棚やハンガーを設置したり、壁掛テレビ等の機器を設置したりすると、壁本体に傷をつけてしまう点。
ハ）壁紙を用いて壁面装飾をする場合には、壁紙の施工技術が必要なので、一般の人が自ら施工を行うのが難しいという点。
【００４】
【課題を解決しようとしている手段】
壁内に固定用金具を埋め込み、この固定金具にネジを用いて、壁面に壁面保護用緩衝板を固定することで、壁面の装飾、保護、及び　壁面への設備、機器等の設置を可能とする。
【００５】
【発明実施の形態】
イ）建築物の壁面（構造体）に固定用金具を固定する。これは、壁面保護緩衝板を固定するネジを受けるナット状の受け口をもつものである。
ロ）壁面保護緩衝板は、壁面保護用板の上に、木材のチップの間に網状の補強材を挟み込み、樹脂で固めて板状に成型する。成型の際に、イ）の固定金具の位置に合わせて、壁面保護緩衝板をビスで固定するための金具を埋設する。
ハ）イ）の金具は凹状、ロ）の金具は凸状になっており、ネジで壁面保護緩衝板を固定する際に簡単に施工位置を決定することを可能とする。
【００６】
【発明の効果】
イ）プレハブ住宅等の壁面の装飾及び保護を壁面保護用緩衝板により行うことにより、壁面にビス状の金具や釘を使って、絵画などを壁に掛けたり、ポスターをピン類で貼り付けたりしても、壁本体に傷をつけることが無くなる。
ロ）壁面用保護緩衝板は、木材のチップの中に、補強材を埋め込んだ形で、樹脂で固めることにより形成するので、十分な強度が確保される。このため、壁本体を傷つけることなく、壁面に棚やハンガーを設置したり、壁掛テレビ等の機器を設置したりすりことが可能になる。
ハ）木材のチップを樹脂で固めるという形成法から、壁面保護用緩衝板にエンボス加工が可能であり、壁面保護用緩衝板　自体に装飾性を持たせることが可能である。
ニ）壁面用保護干渉の表面に壁紙等を貼り付けることでも、壁面用保護干渉板自体に装飾性を持たせることが可能である。貼り付ける壁紙の材質によっては、鏡の代用品としても利用可能である。
ホ）壁面用保護緩衝板への表面の装飾は、施工以前に機械等を用いて行うことが可能なので、壁面施工の品質と生産性を向上されることが可能になる。
ヘ）壁面用保護緩衝板の施工は簡単なので、建設技術者に頼らずに一般の人でも施工が可能になる。
ト）また、釘うちなどで傷ついた壁面保護用緩衝板は、樹脂とチップの充填という方法で再生することで、リサイクル利用が可能である。
【図面の簡単な説明】
【図１】本発明の形状を示す。（正面図）
【図２】本発明の施工方法及び形状を示す。（断面図）
【図３】本発明の使用状態を示す。
【符号の説明】
▲１▼壁面保護緩衝板
▲２▼壁板取付用固定金具Ａ
▲３▼建築物埋込用固定金具Ｂ
▲４▼壁面取付用ボルト
▲５▼緩衝板強化用樹脂ネット
▲６▼木材チップ＆接着樹脂
▲７▼壁面保護板
▲８▼位置決め用凹部
▲９▼位置決め用凸部
▲１０▼建築物の壁面板
▲１１▼建築物の構造体（柱）
【図１】
2004036377.tif 000003
【図２】
2004036377.tif 000004
【図３】
2004036377.tif 000005
(57)【要約】【課題】本発明は、スパッドの孔にスパッド取付保持具の先端に設けたゴム部を確りと挿着し、便器の一辺にあいた孔からスパッドの下部を挿入して、スパッド取付保持具の握り手部を持って便器内の空間内からスパッドのネジ部を外部に吊り上げ、その握り手部からナットを挿通させ、スパッドを落下させず容易にネジ部を螺着でき、スパッドが便器に確りと取り付けられる水洗便器用スパッド取付保持具を得る。【解決手段】棒の先端に円筒状のゴム挿着部を被着し、棒に被着したゴム挿着部の前後となる棒の周壁にネジ部を設け、そのネジ部にナットを螺着してゴム挿着部を前後から締着するようにし、棒の後端に握り手部を設けている。【選択図】　　図１
2004036372.tif 000002
【特許請求の範囲】
【請求項１】
棒の先端に円筒状のゴム挿着部を被着し、棒に被着したゴム挿着部の前後となる棒の周壁にネジ部を設け、そのネジ部にナットを螺着してゴム挿着部を前後から締着するようにし、棒の後端に握り手部を設けたことを特徴とする水洗便器用スパッド取付保持具。
【請求項２】
前部に弓形の弓形曲成部を設けた弾力性のある金属板において、その金属板の後部の平板部を挿着管に挿着し、挿着管の内周壁を被着するよう所要数の金属板を併設し、挿着管の後端に掛止ビスを取り付けたことを特徴とする水洗便器用スパッド取付保持具。
【発明の詳細な説明】
【０００１】
【発明の属する技術分野】
本発明は、水洗便器用スパッド取付保持具に関する。
【０００２】
【従来の技術】
従来、水洗便器用スパッド取付は、工場でスパッド取付されたものが一部にあるが、通常の水洗便器においてはスパッド取付を工事現場等で、手作業で取り付けていた。
【０００３】
【発明が解決しようとする課題】
従来の水洗便器用スパッド取付は、工事現場等で手作業で取り付けられていたが、各水洗便器のスパッド取付部分は、便器の一辺にあいた孔にスパッドを挿入し、便器内の空間内でスパッドを落下させないよう手で掴みながら取り付ける作業は困難を極め、作業の非効率とともに誤ってスパッドを落下させると、便器内部の流水層に落ちて取り難く作業が中断する問題があった。
【０００４】
本発明は、スパッドの孔にスパッド取付保持具の先端に設けたゴム部を確りと挿着し、便器の一辺にあいた孔からスパッドの下部を挿入して、スパッド取付保持具の握り手部を持って便器内の空間内からスパッドのネジ部を外部に吊り上げ、その握り手部からナットを挿通させ、スパッドを落下させず容易にネジ部を螺着でき、スパッドが便器に確りと取り付けられる水洗便器用スパッド取付保持具を提供することを目的としている。
【０００５】
【課題を解決するための手段】
上記目的を達成するために、棒の先端に円筒状のゴム挿着部を被着し、棒に被着したゴム挿着部の前後となる棒の周壁にネジ部を設け、そのネジ部にナットを螺着してゴム挿着部を前後から締着するようにし、棒の後端に握り手部を設けている。
【０００６】
また、前部に弓形の弓形曲成部を設けた弾力性のある金属板おいて、その金属板の後部の平板部を挿着管に挿着し、挿着管の内周壁を被着するよう所要数の金属板を併設し、挿着管の後端に掛止ビスを取り付けてもよい。
【０００７】
【発明の実施の形態】
本発明を以下図面に基づいて説明する。
図１で示す実施例では、棒１の先端に円筒状のゴム挿着部２を被着し、棒１に被着したゴム挿着部２の前後となる棒１の周壁にネジ部３を設け、そのネジ部３にナット４を螺着してゴム挿着部２を前後から締着するようにし、棒１の後端に握り手部５を設けている。
【０００８】
また、図２で示す実施例では、前部に弓形の弓形曲成部６を設けた弾力性のある金属板７おいて、その金属板７の後部の平板部８を挿着管９に挿着し、挿着管９の内周壁を被着するよう所要数の金属板７を併設し、後端に掛止ビス１０を取り付けている。
【０００９】
上記のような本発明の構成により、図３で示す実施例では、水洗便器用スパッド取付保持具の使用方法を表わしている、スパッド取付保持具の握り手部５を持ち、その先端のゴム挿着部２をスパッド１１の孔１２に挿着し、スパッド１１がスパッド取付保持具に挿着した状態で、スパッド１１の下部の周縁部１３にパッキン１４を載置し、便器１５の一辺にあいた孔１２に挿入し、便器１５の内部の空間内でスパッド１１を落下させないよう、スパッド１１の上部に設けたネジ部３を吊り上げて外部に出し、スパッド取付保持具の握り手部５出からスパッド取付ナット１６を挿通して、スパッド１１のネジ部３にスパッド取付ナット１６を確りと螺着し、その後、スパッド取付保持具を抜脱するものである。
【００１０】
【発明の効果】
本発明により、従来の手作業でしか行えなかった水洗便器用スパッド取付が、取付作業が容易になり、労力を必要としていた作業が軽減して、作業の効率が上がるようになるものである。
【図面の簡単な説明】
【図１】本発明の実施例を示す斜視図である。
【図２】本発明の第２実施例を示す斜視図である。
【図３】本発明のスパッド取付保持具を使用した実施例を示す断面図である。
【符号の説明】
１　棒
２　ゴム挿着部
３　ネジ部
４　ナット
５　握り手部
６　弓形曲成部
７　金属板
８　平板部
９　挿着管
１０　掛止ビス
１１　スパッド
１２　孔
１３　周縁部
１４　パッキン
１５　便器
１６　スパッド取付ナット
【図１】
2004036372.tif 000003
【図２】
2004036372.tif 000004
【図３】
2004036372.tif 000005
(57)【要約】　　　（修正有）【課題】美観も保て、安価で安全に耐用年数を伸ばすことが出来、又通行を止める事無く一部の制限で済み、停滞する場所も限られ危険度も少なくて済む特殊装備車及び清掃、錆落し、及び塗装を行う為の装置を提供する。【解決手段】走行出来る車輌に進行方向前部より、洗浄機１、洗浄用バキューム２、塗装用バキューム３、塗装機４、洗浄用バキューム５、塗装用動力機を装置し、それぞれを個別に又同時に作動させ、道路の設置物６（ガードレール・防音壁等）の清掃、錆落し、及び塗装を走行しながら行う。【選択図】図１
2004036373.tif 000002
【特許請求の範囲】
【請求項１】
ガードレールの清掃、錆び落し及び塗装を走行しながら行うことを特徴とした特殊装備車
【請求項２】
走行可能な車に道路の設置物（ガードレール・防音壁等）の清掃、錆落し、及び塗装行う為の装置
【発明の詳細な説明】
【０００１】
この考案はガードレールの清掃錆び落し及び塗装を走行しながら行う事が出来る。
【０００２】
【従来の技術】
従来は設置物が錆びて朽ちるか、法定耐用年数が来れば取り替える方法であった。
【０００３】
そして補修を行うのであれば通行を制限し取り外して又取付けると云う２度手間を行うか、作業員が現場で手作業で行っていた。
【０００４】
【考案が解決しようとする課題】
塗装が老化し始めた時、又錆びが発生しかけた時に錆び落しをし塗装の上塗りをすると美観も保て、安価で安全に耐用年数を伸ばすことが出来る。
又通行を止める事無く一部の制限で済み、又移動しながら行うので停滞する場所も限られ危険度も少なくて済む。
作業員も車輌の内部で操作できるので高速道路においては特に作業員の安全性において必要な車である。
【０００５】
【課題を解決する為の手段】
この考案は走行出来る車輌に進行方向前部より
１　洗浄機
２　洗浄用バキューム
３　塗装用バキューム
４　塗装機
５　洗浄用バキューム、塗装用動力機を装置し、それぞれを個別に又同時に作動
させる事により、上記課題の解決を図ったものである。
【０００６】
【実施例】
図１は　本考案を採用した例を示し回転ブラシ１−１は、駆動チェーン１−３をかいしてモーター１−２に連結されている、回転ブラシ１−１はモーター１−２の回転方向を決めることにより遠心力が生じた方向にガードレールに常に密着しながら回転ブラシの種類により錆びを落したり、又ガードレールを洗浄する事が出来る。
回転ブラシ１−１は自在アーム１−４による方法で取り付ける事によりモーター１−２の回転の強弱により密着力が変わり回転ブラシ１−１の回転も変わるので相乗効果により、錆び落し、又洗浄の強弱を変える事が可能、回転ブラシ１−１は各種素材を変える事により作業内容の変更が効率的に出来る事は当然である。
【０００７】
洗浄用バキューム２−２は回転ブラシ１−１の効率を上げる噴射ノズル２−１付、水又その他の液剤、固形物を収容する、２−３、２−４のスペースを有しブラッシングをする時にそれぞれを噴射する事も可能。
洗浄用バキューム２−２は、回転ブラシ部で設置物６をブラッシングすることにより発生する粉じんを吸収し回収する為にもうける。
【０００８】
塗装用バキューム３は塗装機４に附属する以下自在自動ノズル４−１より発射される浮遊塗料を回収せしめる為に設けたものである。
【０００９】
洗浄、塗装用コンプレッサー５は洗浄用バキューム２及び塗装バキュームに使用する空気圧を発生せしめ又塗装用噴射空気圧を作る為に設備する。
【００１０】
【考案の効果】
この考案は以上のように構成され、道路設置物６の補修作業が安全かつ安価に、危険性も最小限にとどめる事が出来交通の妨げとなる時間も短縮されるメリットがある。そしてすでに全国のガードレールは錆びが発生し、排煙による汚れで美観をそこね、黒く変色している為に雨天、夜間では見えにくくなっており、非常に危険なものも少なからずある、補修するには膨大な費用が必要と思われるが以上の装備車を使用する事により改善できる。
【図１】
2004036373.tif 000003
【手続補正書】
【提出日】平成14年9月18日(2002.9.18)
【手続補正１】
【補正対象書類名】明細書
【補正対象項目名】図面の簡単な説明
【補正方法】変更
【補正の内容】
【図面の簡単な説明】
【図１】平面図
図１は、本考案を採用した車両に１洗浄機、２洗浄用バキューム、３塗装用バキューム、４塗装機、５洗浄、塗装用コンプレッサの配列を示した平面図であるが、配置位置については特に拘らない。
【符号の説明】
１　洗浄機本体　１−１　回転ブラシ　１−２　モーター　１−３　駆動チエン
２　洗浄用バキューム本体　２−１　噴射ノズル　２−２　洗浄用バキュームカバー　２−３　水タンク　２−３　洗剤、その他固形物タンク
３　塗装用バキューム
４　塗装機　４−１　自在自動ノズル
５　洗浄、塗装用コンプレッサ
(57)【要約】【目的】渓流には難行する事が三つある、曲りくねった渓流、強い傾斜の渓流、歩道のない渓流。これ等はいかに現状を保てるか、上部からワイヤロープで吊ることで曲りくねった渓流も真っ直ぐに、強い傾斜の渓流もワイヤロープを上下に調節すると既定に定着する、大型樋の下部左右に簡易歩道を設け、その裏側に送電線を設置することで安定した発電が出来る。【構成】曲りくねった渓流（４）と強い傾斜の渓流（５）と歩道のない地域なのです、以上が三大難関です、これを超越して行く為に大型樋（３）を上部からワイヤロープで吊る（２）で解決する、曲りくねった渓流（４）も上部からワイヤロープで吊る（２）で曲りくねった渓流（４）も真っ直ぐになる、強い傾斜もゆるやかになる、大型樋の下部左右に簡易歩道（１１）を設置する、又その裏側に電線をつけて送電をする。極めて安全で大量発電が出来る。【選択図】　図１
2004036378.tif 000002
【特許請求の範囲】
【請求項１】
曲りくねった渓流（４）と強い傾斜の渓流（５）の場所は難所とされている、曲りくねった渓流（４）は流れが悪く大雨が降ると洪水になる、しかし大型樋（３）は二階のようになるので大型樋（３）を上から吊ることで様式は一変して真っ直ぐになる、高低の差が大きい所はワイヤロープ（２）で吊ることで傾斜をゆるめて皆傾斜を同じくすると長く延長して大量発電ができる、この発明は型式に取らわれないで現実に応じて必要にあらば地上から土合と柱で築き、又ある時は上部から大型樋（３）を吊り、以上のよう下部からの支えと、上部から吊る、この二式をうまく使用するのが特長です。発電装置の位地が高いので困難な為、この出願で追加する、大型樋（３）を上部から吊ることで曲りくねった渓流（４）でも真っ直ぐになる、強い傾斜の渓流（５）でも吊ることで傾斜もゆるくすることが出来る、渓流の流れの近くに道もない、そこで大型樋（３）の下部左右に簡易歩道（１１）をつける、巡回や点検の時に歩く道、その簡易歩道（１１）の下部に送電する線（１２）開設する。
【発明の詳細な説明】
【０００１】
【産業上の利用分野】前記出願の水力発電の特願２０００−４０３８６５号の補助として別件で出願する、下部から支えてもできない所がある、例えば曲りくねった所、強い傾斜の渓流、土地の柔いところ等の欠陥をワイヤロープを使って吊ることで大量の発電が予想が出来る、大型樋の下部左右に簡易歩道をつけその下部に送電線をつけてなる水力発電である。
【０００２】
【従来の技術】
従来、渓流と言えば人里を離れた寂しい所です、人に危害は加えない、周囲は雑木で囲まれて見通しは悪く、歩く道はない、あるものは流水の轟音だけ。
【０００３】
【発明が解決しようとする課題】
これは次のような欠点があった
（イ）既にある高い所の流水は傾斜もある、渓流には安全管理になんの警告もないので集中豪雨の流水が氾濫したり、土砂崩れがあり大変危険である。
（ロ）渓流には曲りくねった所が多く、建設にも種々の支障を来す、建設に当たり材料を運搬する道すらない、道なき道を踏み分けて開拓に道はない。
（ハ）渓流には高低の差が激しく小さい滝と言う感じです、高い所の流水を受けて一定の傾斜を保ち延長する時下部の空間は大きく大量の資材を要する。
（ニ）左右が急激な土形となる、集中豪雨に見舞われると土砂崩れや洪水等あちこちに散乱している大きな石が無数にある。
（ホ）渓流の傾斜が急激になればなるほど左右の両岸は急に険しい崖になったりして、歩道もない為に近づけない、これが正真正銘の秘境というものだ。
【０００４】
【課題を解決するための手段】
両岸の立ち上がりの両方の崖に主柱（１）を立て、図−１のように、結合（５）のように合体させて上部からワイヤロープ（２）で大型樋（３）を上に吊り上げる、特に渓流に於て曲りくねった渓流（４）と強い傾斜の渓流（５）は非常に多い、もし難所でこの上から吊れば全域で完全に発電が出来る。
本発明は、以上のように下部から土台と柱で支える、一方はワイヤロープで上から大型樋（３）を吊り上げる、この二つの方法を場所に従って適応して使う時、完璧な仕事が出来る。
【０００５】
【作用】
前出願である水力発電で述べた通り、下部から土台と柱で支えるだけでは完璧とは言いないのでその補足として別に出願をする、発明の名称＝樋を吊る。
曲りくねった（４）と強い傾斜の渓流（５）の所に大型樋（３）を上からワイヤロープで吊る、すると曲りくねった（４）も真っ直ぐに修正が出来る、強い傾斜も予定通りのゆるい傾斜で持続出来る、なお大型樋（３）の下部左右に簡易歩道（１１）を設け、その裏に送電線（１２）を設定する、簡易歩道（１１）は巡回や点検で歩く道でこれは関係者以外の使用を禁ずる
【０００６】
【実施例】
以下、本発明の実施例について説明する。
渓流の傾斜が強く流水に対して正面向きであれば適地である。
（イ）曲りくねった渓流（４）の左右に棒状の主柱（１）を建てる、もちろん立地条件に適った上で大型樋（３）の真上で主柱（１）が結合（６）する。
（ロ）強い傾斜の渓流（５）は流水を受けて大型樋（３）で流す。
（ハ）この建設にあたり全工程を大型樋（３）を活用して成る、この大型樋（３）は基本的に流水の真上に建設する、例外は別途として扱う。
（ニ）大型樋（３）を支える手段は二式ある、土台と柱と上部から吊る。曲りくねった渓流（４）も真っ直ぐになり強い傾斜の渓流（５）もゆるくなる。
（ホ）大型樋（３）の下部左右に簡易歩道（１１）を設定して送電線（１２）をつけて安全な送電をする、この簡易歩道（１１）は巡回、点検の時に使う。
本発明は以上のような構造でこれを使用する時は、渓流の一部に見られる曲りくねった渓流（４）や強い傾斜の渓流（５）は勿論曲りくねった渓流（４）と同じ形に大型樋（３）を建設は出来ない、又強い傾斜の渓流（５）のように強い傾斜と同様に建設は出来ない、下部から積み重ねて支える土台と柱、上部からワイヤロープで吊る、この二つを交互に使って事業を進める。
【０００７】
【発明の効果】
渓流には曲りくねった渓流と、小さな滝のような強い傾斜の渓流等に上部からワイヤロープで吊ることで曲りくねった渓流も吊ることで大型樋は真っ直ぐになる、強い傾斜の渓流も上からワイヤロープで吊るのが望ましい、なぜなら曲りくねった渓流も大型樋を吊ることで、強い傾斜の渓流も大型樋を吊ることで全域が完全工程が理想通りに運ぶ、一番難関は渓流に道がないことです、この対策として大型樋の下部左右に簡易歩道を増築するそのうしろがわに送電線を設定して、点検や巡回、送電により安全に管理が出来る。
【図面の簡単な説明】
【図１】曲りくねった渓流で大型樋を吊り流水を真っ直ぐに導く正面図である。
【図２】強い傾斜の渓流で大型樋を吊り同じ傾斜に調節し長く導く側面図である。
【符号の説明】
１．支柱。
２．ワイヤロープで吊る。
３．大型樋。
４．曲りくねった渓流。
５．強い傾斜の渓流。
６．結合。
７．くさび。
８．点線のように曲りくねった渓流を真っ直ぐになる。
９．左右の揺れを防ぐ腕。
１０．大型樋（３）と以前の渓流との差。
１１．簡易歩道
１２　送電する線
【図１】
2004036378.tif 000003
【図２】
2004036378.tif 000004
(57)【要約】【課題】施工が簡単で、保守が容易、維持費が少なくてすむロードヒーティング装置を提供することを課題とする。【解決手段】弾性のあるゴム材質の成型ブロックを組み合わせて地面に配置し、その上部にある円筒状の切込みにあわせて、樹脂製でフレキシブルな温水管を配置し、さらにその上に水はけがよくすべりずらいゴムチップ等の材質でできた上部マットを重ねた構造のロードヒーティング装置を作る。【選択図】　　　図１
2004036353.tif 000002
【特許請求の範囲】
【請求項１】
弾性のあるゴム材質の成型ブロック（図１、図２、図３）を組み合わせて地面に配置し、その上部にある円筒状の切込みにあわせて、樹脂製でフレキシブルな温水管を配置し、さらにその上に水はけがよくすべりずらいゴムチップ等の材質でできた上部マット（図９、図１０、図１１）を重ねた構造のロードヒーティング装置。
【発明の詳細な説明】
【０００１】
【発明の属する技術分野】
本発明は、ロードヒーティング装置に関するものである。
【０００２】
【従来の技術】
従来のロードヒーティング装置は、次のような方式である。
１．地中に発熱体を配置し、コンクリート、アスファルト等で固定、埋め戻しを行うもの。
２．電気による発熱体を内蔵したゴムマットによるもの。
３．あらかじめ温水管が内蔵されたコンクリートブロックを連結して設置するもの。
【０００３】
【発明が解決しようとする課題】
しかし、従来の技術によるロードヒーティング装置は、以下の問題点がある。
１．地面を掘削して工事を行う必要があるため、施工のための多大な費用と時間がかかる。
２．修理には大規模な工事が必要である。
３．熱効率が悪く、燃料代がかさむ。
４．コンクリートブロックは、起伏のある地面には配置が困難。
【０００４】
本発明は上記の問題点を解決する技術を提供する。
【課題を解決するための手段】
上記課題を解決するために、請求項１記載のロードヒーティング装置は下記のようなものになる。
１．既存の路盤に弾性のあるゴム材質の成型ブロックからなる下部ユニット（図１、図２、図３）を組み合わせ、配置する。
【０００５】
【発明の実施の形態】
本発明は、以下のように実施する。
１．図１、図２、図３で示す下部ユニットを、図７の連結ユニット１、図８の連結ユニット２により連結する。
２．図１２に示す例のように配置する。
３．温水管は樹脂製でフレキシブルなので、図４のような断面をもつ下部ユニットの切込に、押し込んで固定できる。また、いったん押込み固定した温水管は、下部ユニットの本体と密着し、安定する。
４．その上に、図９で示す上部ユニットを、下部ユニットの凹部と合わせて配置する。
【０００６】
【発明の効果】
本発明は以上に説明したような構成により次のような効果を奏する。
１．地面を掘削することなく、既存の路盤に弾性のあるゴム材質の成型ブロックからなる下部ユニット（図１、図２、図３）を組み合わせ、加熱したいスペースに合わせて配置し、ロードヒーティング装置を構成するものであり、施工のための土木工事が必要なくなり、低価格、短時間で施工できる。
２．地面上に配置するものであるため、保守が容易である。
３．熱効率がよく、燃料代が節約できる。
４．弾性のあるゴム材質の成型ブロックのため、地面との密着性がよく、安定する。
５．設置・撤去が簡単に行えるため、冬季間以外はたたんでしまっておける。
【図面の簡単な説明】
【図１】下部ユニットの平面図である。
【図２】下部ユニットの立面図である。
【図３】下部ユニットの側面図である。
【図４】下部ユニットの温水管配置用切込みの断面図である。
【図５】端部ユニット１の平面図である。
【図６】端部ユニット２の平面図である。
【図７】連結ユニット１の平面図、立面図、側面図である。
【図８】連結ユニット２の平面図、立面図、側面図である。
【図９】上部ユニットの平面図である。
【図１０】上部ユニットの立面図である。
【図１１】上部ユニットの側面図である。
【図１２】システム全体の配置図である。
【符号の説明】
１　下部ユニット
２　端部ユニット１
３　端部ユニット２
４　連結ユニツト１
５　連結ユニット２
６　上部ユニット
７　温水管配置用切込み
８　上部ユニット位置決用凸部
９　上部ユニット位置決用凹部
１０　温水管
１１　ボイラー
【図１】
2004036353.tif 000003
【図２】
2004036353.tif 000004
【図３】
2004036353.tif 000005
【図４】
2004036353.tif 000006
【図５】
2004036353.tif 000007
【図６】
2004036353.tif 000008
【図７】
2004036353.tif 000009
【図８】
2004036353.tif 000010
【図９】
2004036353.tif 000011
【図１０】
2004036353.tif 000012
【図１１】
2004036353.tif 000013
【図１２】
2004036353.tif 000014
(57)【要約】【課題】従来では倉庫と駐車場は個々の目的にのみ利用されていて都市部で困っている駐車場と家庭用貸し倉庫が一体化している士地利用と簡単な方法で組立解体が出来て地震等にも耐える構造を得る。【解決手段】現在駐車場として利用されている場所に鳥居式構造置き型フリースペースを置き、三段階に土地活用をして地主、建て主、仲介者、そして周囲の住民も大きな利点がある。【選択図】　図１
2004036359.tif 000002
【特許請求の範囲】
【請求項１】
駐車場部分をそのまま利用し、その上部空間のスペースを鉄骨で組みＧ２の梁を取り付ける事により横揺れを防ぐ事を特徴とする鳥居式構造置き型フリースペース。
【請求項２】
置き型なので基礎工事が不要で梁材だけを変える事によりどんな場所でも造る事の出来る事を特徴とする鳥居式構造置き型フリースペース。
【請求項３】
梁材を２段にする為内側ブレース材が不要になり駐車場部分をそのまま利用する事の出来る事を特徴とする鳥居式構造置き型フリースペース。
【請求項４】
上部床２，３階部分は軽量鉄骨及び１．６ミリ鋼板のパネル式間仕切りを特徴とする鳥居式構造置き型フリースペース。
【請求項５】
解体した材料を他の駐車場にも転用し解体後もその土地がそのまま利用できる鳥居式構造置き型フリースペース。
【発明の詳細な説明】
【０００１】
【発明の属する技術分野】本発明は鳥居式構造置き型フリースペースに関する。
【０００２】
【従来の技術】従来の倉庫としては箱型の物をそれだけの為に場所を使用していた。
【０００３】
【発明が解決しようとする課題】しかし上述のような従来の倉庫では、駐車場として利用している場合は倉庫利用は出来なかった。
【０００４】そこで本発明は上述の問題を解決して、駐車場で利用しながら上部空間を倉庫として利用して、各家庭で困っている季節物、雑品、等を収納しておく為のフリースペースとして鳥居式構造置き型フリースペースとして提供する事を目的とする。
【０００５】
【課題を解決するための手段】上述の目的を達成するために本発明に係る鳥居式構造置き型フリースペースは駐車場の地主に後の事を考えて基礎は造らない置き型で構造を形成しているものである。
【０００６】駐車場として以前から利用している土地を２階，３階の床を造り軽量鉄骨で間仕切り、駐車場ではなく倉庫としてあつかうものである。
【０００７】そのために地主，建て主，仲介者そして周囲の住民に利点があり都市部では理想的な土地活用及び構造であるものと考える。
【０００８】
【発明の実施の形態】以下、実施の形態を示す図面に基ずき、本説明を詳説する。
【０００９】図，１と図，２は本発明係る鳥居式構造置き型フリースペースの実施の一形態を示しこの鳥居式構造置き型フリースペースは、Ａ部（１階）を駐車場として使用して、Ｂ部、Ｃ部を３〜５坪を一枠として間仕切り（図，５）して３段使用を可能にしたものである。
【００１０】図，３の鳥居式部分は１階の階高の４分の１上部、もしくは２階梁上部より６００ミリ下がりを基本とする。
【００１１】図，４の置き型ベース部分は柱継ぎフラットバーを柱ごと四方を継ぎ、ズレ止め杭鉄筋を打ち込む。
【００１２】
【発明の効果】本発明は上述の如く構成されるので次に記載する効果を奏する。
【００１３】請求項１記載の鳥居式構造置き型フリースペースによれば現在使用中である駐車場に鉄骨を建てる事が出来る。
【００１４】請求項２記載の鳥居式構造置き型フリースペースによれば基礎工事が無いので駐車場に車輌がありながら鉄骨を建てる事が出来る。
【００１５】請求項３記載の鳥居式構造置き型フリースペースによれば梁材を２段に鳥居型に取付けると、垂直ブレースが中間にいらないので駐車場をそのまま使用出来る。
【００１６】請求項４記載の鳥居式構造置き型フリースペースによれば折りたたみ式１．６ミリパネルを使用するので床の広さに関係無く自在に間仕切りを変える事が出来る。
【００１７】請求項５記載の鳥居式構造置き型フリースペースによればその土地が他の目的により使用される事となった時でも解体した後に基礎，アンカー等が残らないので元の状態で土地が利用出来る。
【図面の簡単な説明】
【図１】正面図である。
【図２】２階平面図である。
【図３】鳥居式構造詳細図である。
【図４】置き型柱脚平面詳細図である。
【図５】置き型柱脚立面詳細図である。
【図６】自在間仕切リパネル図である。
【符号の説明】
Ａ　　　　既存の駐車場部
Ｂ　　　　２階フリースペース
Ｃ　　　　３階フリースペース
Ｃ１　　　鉄骨支柱
Ｇ１　　　２階床梁３階床梁
Ｇ２　　　鳥居式構造梁
Ｇ３　　　屋根梁
（１）〜（１２）　フリースペース
（Ｆ１）　継ぎフラットバー
（Ｐ）　　ズレ止め杭筋
【図１】
2004036359.tif 000003
【図２】
2004036359.tif 000004
【図３】
2004036359.tif 000005
【図４】
2004036359.tif 000006
【図５】
2004036359.tif 000007
【図６】
2004036359.tif 000008